(57)【特許請求の範囲】
【請求項１】
遊技台が出力する大当たり信号を受け取り遊技台が大当たり状態になったことを検知する大当たり検知手段と、
遊技台が出力するスタート信号を受け取り遊技台のスタートの発生回数をカウントするカウント手段と、
サービスを行なうスタートの発生回数を記憶するサービススタート回数記憶手段と、
前記サービススタート回数と前記カウント手段がカウントした遊技台のスタートの発生回数を比較する比較手段と、
遊技台が大当たり状態になったことを前記大当たり検知手段が検知した時に前記サービススタート回数と遊技台のスタートの発生回数の一致が前記比較手段によって判定されるとサービスを受ける権利が発生したことを示す特定表示を行なう特定表示手段とを具備したことを特徴とする遊技台の表示装置。
【請求項２】
遊技台が大当たり状態になったことを前記大当たり検知手段が検知した時に前記サービススタート回数と遊技台のスタートの発生回数の一致が前記比較手段によって判定されなければ抽選を行なう抽選手段を更に具備し、
前記特定表示手段は、該抽選によりサービスを受ける権利が発生した場合にはそれを示す特定表示を行なうことを特徴とする請求項１記載の遊技台の表示装置。
【請求項３】
請求項１又は請求項２のいずれか一方に記載の遊技台の表示装置を具備したことを特徴とする遊技台。
【発明の詳細な説明】
【０００１】
【発明の属する技術分野】
本発明は、スロットルマシンやパチンコ台などの遊技台に設けられる遊技台の表示装置及び遊技台の表示装置を具備した遊技台に関し、更に詳述すれば、遊技台だけでは難しかったパチンコ店独自のサービスを遊技客にいろいろ提供することができるものに関する。
【０００２】
【従来の技術】
特開平８−１５５１０９号公報（Ａ６３Ｆ  ７／０２）には、スタート受入口に打球が入賞することにより可変表示装置の数字，記号等の図柄が変動表示し一定の確率で数字等が揃うことにより大当たりが発生するパチンコ遊技機が開示されている。
【０００３】
このような遊技台における大当たりが発生する確率は、規制の対象となっておりパチンコ店が勝手に変えることはできない。従って、イベント等で遊技客に少しでもサービスしようとすれば、釘調整や台の取付け角度調整等の昔ながらの調整を行なうより他なかった。
【０００４】
【発明が解決しようとする課題】
釘調整や台の取付け角度調整等の昔ながらの調整では、調整ミスや調整のばらつき等で予定していた結果が得られない場合があり、又、開店中は釘調整等の調整を行なうことはできないため、パチンコ店が、臨機応変に、又、ねらった通りのサービスを行なうことは難しかった。
【０００５】
この発明は、上記のように遊技台により遊技客にサービスを行なうことが困難であるとの事情に鑑み、遊技台に接続された表示装置を利用することで、遊技客に対して臨機応変に、又、ねらった通りのサービスを行なうことができる遊技台の表示装置及び遊技台の表示装置を具備した遊技台を提供することを特徴とする。
【０００６】
【課題を解決するための手段】
本発明の請求項１記載の遊技台の表示装置は、上記の課題を解決するために、遊技台が出力する大当たり信号を受け取り遊技台が大当たり状態になったことを検知する大当たり検知手段と、遊技台が出力するスタート信号を受け取り遊技台のスタートの発生回数をカウントするカウント手段と、サービスを行なうスタートの発生回数を記憶するサービススタート回数記憶手段と、前記サービススタート回数と前記カウント手段がカウントした遊技台のスタートの発生回数を比較する比較手段と、遊技台が大当たり状態になったことを前記大当たり検知手段が検知した時に前記サービススタート回数と遊技台のスタートの発生回数の一致が前記比較手段によって判定されるとサービスを受ける権利が発生したことを示す特定表示を行なう特定表示手段とを具備したことを特徴とする。
【０００７】
本発明の請求項１記載の遊技台の表示装置によれば、大当たり発生時に、スタートの発生回数があらかじめ設定した所定回数（サービススタート回数）と一致していればサービスを受ける権利が発生したことを示す特定表示（例えば、大当たり画面に重ねてスタート回数を表示する）を行なうため、それをパチンコ店の店員が確認することで、遊技客に対して、例えば、連続持ち玉打ちの権利を与える等のサービスをすることができるので、遊技客に対して、パチンコ店特有のサービスを臨機応変に、又、ねらった通りのサービスを行なうことができ、遊技客へのサービスを向上することができる。
【０００８】
本発明の請求項２記載の遊技台の表示装置は、遊技台が大当たり状態になったことを前記大当たり検知手段が検知した時に前記サービススタート回数と遊技台のスタートの発生回数の一致が前記比較手段によって判定されなければ抽選を行なう抽選手段を更に具備し、前記特定表示手段は、該抽選によりサービスを受ける権利が発生した場合にはそれを示す特定表示を行なうことを特徴とする。
【０００９】
本発明の請求項２記載の遊技台の表示装置によれば、大当たり発生時に前記サービススタート回数と遊技台のスタートの発生回数が一致していなければ抽選を行ない、抽選により遊技客にサービスを受ける権利が発生した場合には、それを示す特定表示（例えば、大当たり画面に重ねてスタート回数を表示する）が行なわれるので、それをパチンコ店の店員が確認することで、遊技客に対して、例えば、連続持ち玉打ちの権利を与えたり、飲み物をサービスしたり等することができるので、遊技客に対して、パチンコ店独自のサービスを臨機応変に、又、ねらった通りのサービスを行なうことができ、遊技客へのサービスを向上することができる。
【００１０】
本発明の請求項３記載の遊技台の表示装置を具備した遊技台は、請求項１又は請求項２のいずれか一方に記載の遊技台の表示装置を具備したことを特徴とする。
【００１１】
本発明の請求項３記載の遊技台の表示装置を具備した遊技台によれば、大当たり状態になった遊技客に対して、更に、その時のスタート回数、若しくは抽選によって、サービスを提供することができるので例えば、それをパチンコ店の店員が確認することで、遊技客に対して、例えば、連続持ち玉打ちの権利を与えたり、飲み物をサービスしたり等することができるので、遊技客に対して、パチンコ店独自のサービスを臨機応変に、又、ねらった通りのサービスを行なうことができ、遊技客へのサービスを向上することができる。
【００１２】
【発明の実施の形態】
以下、この発明の実施の形態を図に基づいて説明する。
【００１３】
図１は、パチンコ店内に多数設置された遊技台１０に対して個別に備えられた遊技台１０の表示装置１の構成を示した説明図である。この遊技台の表示装置１は、主制御部２と、遊技台との通信を行なうための遊技台Ｉ／Ｆ部３（遊技情報受信手段）と、ホールコンピュータとの通信を行なうためのホールコンＩ／Ｆ部４と、当日，前日，前々日等の大当たりデータや当日のスタート回数やサービスを行なうスタート回数（以下、サービススタート回数）等のデータが記憶されるデータ記憶部５と、ＬＣＤやＣＲＴ等からなる表示部６（表示手段）と、パチンコ店の店員を呼び出すための呼び出しスイッチ７と、サービススタート回数によるサービスが発生したことを店員が確認した後に押すための確認スイッチ９から成る。
【００１４】
主制御部２は、遊技台１０から前記遊技台Ｉ／Ｆ部３を通じて、大当たり信号、スタート受入口への入賞信号（スタート信号）及び確立変動信号等をそれぞれ受け取るようになっている。又、パチンコ店の中央管理室に設置されたホールコンピュータからホールコンＩ／Ｆ４を通じて、表示部６の表示画面を切り換える表示制御信号、スタート回数によるサービスを行なうか否かを設定するサービス開始設定信号、サービススタート回数を設定するサービススタート回数設定信号等を受け取るようになっている。
【００１５】
主制御部２は、前記各信号を受け取った回数をカウントするカウント部２ａ（カウント手段）と、該カウント部２ａによりカウントされたスタート回数とデータ記憶部にあらかじめ記憶されたサービススタート回数とを比較する比較部２ｂ（比較手段）と、大当たり発生時にサービスを行なうか否かを抽選する抽選部２ｃ（抽選手段）と、前記比較部２ｂによる比較結果又は並びに前記抽選部２ｃによる抽選結果等に基づいて表示部６の表示形態を制御する表示制御部２ｄ（表示制御手段）と、を備えている。
【００１６】
図２は、遊技台１０の上方位置に取り付けられる呼び出しランプ８に表示装置１が配置されている態様を示す図であり、この呼び出しランプ８に前述の表示部６，店員を呼び出すための呼び出しスイッチ７及び大当たり画面に表示されたスタート回数を店員が確認したことを入力する確認スイッチ９が組み込まれた態様を示している。なお、表示装置１を呼出ランプ８側に設けずに、遊技台１０の略中央位置に設けられた表示部１１（入賞時などの絵柄回転状況等を表示する液晶パネル等）を利用するようにしてもよい。
【００１７】
図３は、遊技台の表示装置におけるスタート回数によるサービスの処理内容を示したフローチャートである。
【００１８】
まず、このサービスを行なうためは、サービス開始の設定とサービスを行なうサービススタート回数を設定する（ステップ１、図３においてステップはＳと表示している）。設定するサービス回数は例えば、５回，１０回，１５回…等の飛び回数や下一桁が０の回数のや７の倍数の回数等というように設定する。サービス回数の設定操作は、例えば、表示装置１の裏側に設けたロータリスイッチやディップスイッチで行ったり、或いは、各表示装置１がホールコンピュータとネットワーク接続されているのであれば、当該ホールコンピュータから各表示装置１にサービススタート回数のデータを送信することでも可能である。そして、設定されたサービススタート回数はデータ記憶部５に記憶される。
【００１９】
通常の表示モードにおいて、表示部６には、図４Ａに示したような（大当たりの）成績画面が表示される。又、スタート回数によってサービスを行なう時には、成績画面中にスタート回数も表示される。大当たり回数やスタート回数等は、遊技台１０からのお大当たり発生信号やスタート信号に基づいてカウント部２ａによりカウントされたデータをデータ記憶部５から呼び出して表示を行なう（ステップ２）。
【００２０】
遊技台１０からスタート信号を受信したことを判定すると（ステップ３）、カウント部２ａによりスタート回数のカウントＵＰが行なわれる（ステップ４）。
【００２１】
前記スタートにより大当たりが発生したことを検出すると（ステップ５）、比較部２ｂにより前記カウントＵＰされたスタート回数があらかじめ設定されたサービススタート回数と一致するかが判定される（ステップ６）。
【００２２】
そして、ステップ６で一致すると判定されれば、図４Ｂのようなスタート付大当たり画面が表示される（ステップ７）、このスタート付大当たり画面には、その時のスタート回数が大当たり画面に重ねて表示される。そして、この表示されたスタート回数を店員が確認することで、そのスタート回数に応じたサービスを遊技客に与えることになる。
【００２３】
この遊技客に与えられるサービスは、例えば、大当たりが終わっても玉を交換乃至換金することなく連続して遊技することのできる権利があり、この場合には、店員は連続持ち玉表示札を遊技台に立てるか、又は、表示部６にその旨の表示を行なう。店員は、その後確認スイッチ９を押して、サービスを付与したことを宣言する（ステップ８）。このサービスは、スタート回数により異ならせてもよい。
【００２４】
前記確認スイッチ９が押下された後、図４Ｃに示したような通常の大当たり画面に表示が変り（ステップ９）、大当たり状態が終了すれば（ステップ１０）、図４Ｄに示したような元の遊技成績データの表示画面に戻る（ステップ２）。図４Ｄでは、大当たり回数とスタート回数がそれぞれカウントＵＰされている。
【００２５】
一方、ステップ６で、スタート回数がサービススタート回数と一致しない場合には、抽選モードに移行し、サービスを行なうか否かが抽選される（Ｓ１１）。
【００２６】
抽選の結果があたりならば（Ｓ１２）、スタート付大当たり画面が表示され、（ステップ７）、表示されたスタート回数を店員が確認することで、その値に応じたサービス、例えば、ドリンクサービス等が行なわれる（ステップ８）。
【００２７】
抽選の結果、はずれであれば、通常の大当たり画面が表示される（ステップ９）。
【００２８】
上記の構成であれば、遊技台に接続された表示装置１を利用することで、パチンコ店独自のサービスを遊技客に対して臨機応変に、又、ねらった通りのサービスを行なうことができる。
【００２９】
【発明の効果】
以上説明したように、この発明によれば、遊技台のみでは難しかった遊技客に対するパチンコ店独自のサービスの提供を、遊技台に接続された表示装置により、遊技客に対して臨機応変に、又、ねらった通りのサービスを行なうことができる遊技台の表示装置を提供することができる。
【図面の簡単な説明】
【図１】この発明の実施の形態の遊技台の表示装置の概略構成を示したブロック図である。
【図２】この発明の実施の形態の遊技台の表示装置が組み込まれた呼出ランプ８と遊技台１０との関係を示した説明図である。
【図３】この発明の実施の形態の遊技台の表示装置のスタート回数によるサービス処理内容を示したフローチャートである。
【図４】この発明の実施の形態の遊技台の表示装置の表示部６の表示画面例を示した図である。
【符号の説明】
１    遊技台の表示装置
２    主制御部
２ａ  カウント部
２ｂ  比較部
２ｃ  抽選部
２ｄ  表示制御部
３    遊技台Ｉ／Ｆ部
４    ホールコンＩ／Ｆ部
５    データ記憶部
６    表示部
７    呼び出しスイッチ
８    呼び出しランプ
９    確認スイッチ
１０    遊技台
１１    遊技台１０の略中央位置に設けられた表示部
【図１】
0003953195.tif 000002
【図２】
0003953195.tif 000003
【図３】
0003953195.tif 000004
【図４】
0003953195.tif 000005